(57)【要約】  単色イメージを順次連続して再現することによりカラーイメージを再現する方法において、フィルタリングされたマルチスペクトル光をイメージング装置上にそれぞれ投影することにより単色イメージが再現される。変更可能なフィルタのシーケンスにおいて、原色フィルタがそれぞれ補色の２次色フィルタに隣接して配置されるように、３つの異なる原色フィルタ（Ｒ，Ｇ，Ｂ）と対応する２次色フィルタ（Ｃ，Ｍ，Ｙ）とが配置される。イメージング装置がそれぞれ異なる持続時間を有する光パルスとして光をスクリーンに伝えるようにすることにより、異なる輝度値が達成される。相応の持続時間のあいだ、２次色セグメントと対応する補色の原色セグメントを順次連続して照明することにより白色光が生成される。
2008506976.tif 000002
【特許請求の範囲】
【請求項１】
単色イメージを順次連続して再現することによりカラーイメージを再現する方法であって、フィルタリングされたマルチスペクトル光をイメージング装置上にそれぞれ投影することにより単色イメージを再現し、変更可能なフィルタのシーケンスにおいて少なくとも３つの異なる原色フィルタが連続するようにし、イメージング装置がそれぞれ異なる持続時間を有する光パルスとして光をスクリーンに伝えるようにすることにより異なる輝度値を達成するようにした方法において、所望の画像を再現するのに必要なすべての色の最短光パルス（ビット０）の間の時間的距離が最小化されるようにイメージング装置を制御することを特徴とする、単色イメージを順次連続して再現することによりカラー画像を再現する方法。
【請求項２】
２つの連続する単色イメージの最短光パルス（ビット０）が２つの隣接する色フィルタの間の移行部に位置するようにイメージング装置を制御する、請求項１記載の方法。
【請求項３】
マルチスペクトル光をフィルタリングするために設けられた変更可能なフィルタのシーケンスにおいて、少なくとも１つの原色フィルタとこの原色に対して補色となる第２の色フィルタが連続するようにし、最短光パルスが原色フィルタ（Ｒ，Ｇ，Ｂ）と対応する補色の２次色フィルタ（Ｃ，Ｍ，Ｙ）との間の移行部に位置するようにする、請求項１または２記載の方法。
【請求項４】
所望の輝度の光パルスを原色フィルタ（Ｒ，Ｇ，Ｂ）と対応する補色の２次色フィルタ（Ｃ，Ｍ，Ｙ）との間のすべての境界に実質的に等しく分布させることにより白色イメージ内容を表示する、請求項３記載の方法。
【請求項５】
２つの隣接する色フィルタのそれぞれの輝度値に対応する光パルスの長さが前記色フィルタ間の境界に関して対称的に増大するようにする、請求項１から４のいずれか１項記載の方法。
【請求項６】
所望の輝度レベルを達成するために必要な第１の光パルスの長さを色フィルタの適切なすべての組合せにわたって分布した複数の第２の光パルスに分割し、その際、複数の第２の光パルスの長さの総和が実質的に第１の光パルスの長さに等しくなるようにする、請求項１から５のいずれか１項記載の方法。
【請求項７】
最大光出力を増大させるために、２つの隣接する色フィルタセグメントの間の移行部を通る光を使用する、請求項１から６のいずれか１項記載の方法。
【請求項８】
所定の値が超過されたことを検出するために入力信号を監視し、入力信号の飽和度および／または輝度を相応して低下させる、請求項１から７のいずれか１項記載の方法。
【発明の詳細な説明】
【技術分野】
【０００１】
本発明は単色イメージを順次連続して表示することにより多色イメージを再現する表示装置に関する。
【０００２】
上述したタイプの色順次表示システムでは、種々の単色の色フィルタセグメントを有するホイールまたはディスクを回転させることにより色シーケンスが生成される。種々の単色イメージが次々と表示され、人間の目は表示された画像を複数の混色を示す１つの画像に統合する。その結果得られる画像を以下では多色イメージまたはフルカラー画像と呼ぶ。加法混色の場合、使用される色は好ましくは赤、緑、および青の原色である。単色イメージは、実質的に白色のマルチスペクトル光を回転するカラーホイール越しに例えばＤＬＰ、すなわち、「ディジタル光処理」装置などのイメージング装置に投影することにより再現される。イメージング装置は、ＤＭＤ、すなわち、"Digital Micromirror Device"の形態をとってもよいが、他のタイプのイメージング装置、例えば、ＧＬＶ、すなわち、"Grating Light Valve"、またはＬＣＯＳ、すなわち、"Liquid Crystal On Silicon"システム、あるいはＬＣＤ、すなわち、"Liquid Crystal Display"さえも存在する。後者のシステムは純粋にディジタルのシステムというよりも、アナログシステムまたはアナログディジタル混合のシステムである。イメージング装置は一般に行および列の形に配置されたピクセルに分割されている。投影された単色光は反射されるか、またはイメージング装置によって視覚化のためのスクリーンへ伝達される。画像内容が各ピクセルに対してスクリーンに伝達される光の量を決定する。
【０００３】
例えば、赤、緑、および青の同量の光が順次連続して素速く表示されると、目は白色光を知覚する。以下では、光の「量」という語は、別にことわらない限り、光の「強度」もしくは「輝度」または一定期間にわたる光の積分と交換可能に使用される。上で述べた加法混色では、個々の画像を見分ける観察者の目の能力を超える色の変化速度が必要とされる。
【０００４】
しかしながら、上記タイプの色順次表示システムは「カラーブレイクアップ」、「色分離」、または「レインボー効果」として知られる現象を被る。この現象は観察者の目がスクリーンを素速く横切って動くときに生じる。
【０００５】
以下では、レインボー効果について説明する。ある所与の色の画像が３原色すべての合成から成り立っている場合、従来のＲＧＢカラーホイール表示では、画像はそれぞれの原色の光パルスを順次点弧することにより表示される。簡単のために、最短の光パルスを仮定する、すなわち、駆動回路の最下位ビット、つまり、ＬＳＢを表す持続時間の光パルスを仮定する。光パルスは、例えば、赤色セグメントに１つのパルス、緑色セグメントに１つのパルス、青色セグメントに１つのパルスという順序で点弧される。カラーホイールのセグメントのサイズは固定的であり、カラーホイールの回転速度は一定であるから、従来の符号化を用いた場合、第１の原色の光パルスの点弧インスタンスと最後の原色の光パルスの点弧の間の時間は、３つのセグメントのうちの２つがイメージング装置を通過するための時間よりも長く、符号化または駆動スキームに応じて、３つの色セグメントがイメージング装置を通過するための時間よりも短いかまたは等しい。以下では、「符号化」または「駆動スキーム」という語は、別にことわらない限り、色フィルタセグメント上での様々な長さの光パルスの分布と交換可能に使用される。さらに、今日の色順次表示装置においてそうであるように、符号化はすべての色フィルタセグメントに対して同様であると仮定する図２には、周知の典型的な符号化スキームが示されている。可能な限り低い輝度で白色イメージを表示する最短光パルスの位置が黒の実線でマークされている。白色イメージを表示するために必要な３つのパルスはそれぞれ"ｍｉｎ．ｗｈｉｔｅ"と表記されている。３つの原色の単色イメージから成る１つの完全な多色イメージを表示する際、各色フィルタセグメントにおける１つのＬＳＢの長さの第１の光パルスと最後の光パルスとの間の時間的距離は、２つの色セグメントがイメージング装置を通過するのに要する時間に等しい。図１には、各色がそれぞれ２つのフィルタセグメントに現れる６つの色フィルタセグメントを有する周知のカラーホイールの例が示されている。原色は赤、緑、および青を表す参照記号Ｒ，ＧおよびＢで表されている。図３は、図１のカラーホイールの典型的な駆動スキームを示したものである。図中、原色はそれぞれ異なるパターンで表されており、これは本明細書全体を通して維持されている。理解し易いように、カラーホイールの色セグメントは同じサイズであると仮定されるが、実際には必ずしもそうではない。
【０００６】
図３に示されている駆動スキームは、それぞれの色がイメージング装置を通過し始めるときのそれぞれの光パルスの点弧を図解したものである。イメージング装置を通過する時間は各フィルタセグメントにとって等しい。最初に点弧されるパルスは図の左側の赤を表すパルスＲである。時間ｔRが経過すると、赤はイメージング装置を通過し終わり、緑のセグメントがイメージング装置に到達する。そして、緑を表すパルスＧが点弧される。時間ｔGが経過すると、緑のセグメントはイメージング装置を通過し終わり、青のセグメントがイメージング装置に到達する。そして、青を表すパルスＢが点弧され、以下同様。点弧されるべき各原色の３つのパルスの時間はイメージング装置を通過する２つの色セグメントの時間よりも長く、イメージング装置を通過する３つの色セグメントの時間よりも短い。カラーホイールの１回転は６つの色フィルタセグメントのすべてがイメージング装置を通過したときに完了する。
【０００７】
レインボー効果の発生をさらに説明するために、色順次表示装置は５０インチ、すなわち１２７ｃｍの直径のスクリーン２を有していると仮定する。ディスプレイは１６：９のディスプレイ比を有しており、したがって、スクリーン幅、すなわち、水平方向の寸法は９６ｃｍである。表示装置は等サイズのセグメントを備えた６セグメントＲＧＢカラーホイールを使用する。したがって、各セグメントはカラーホイールの６０°の角をカバーする。カラーホイールの回転速度は１ピクチャ周期当たり１回転である。これは５０Ｈｚのフレームレートでは１回転につき２０ｍｓの時間に相当する。１つのカラーセグメントがイメージング装置を通過する時間は、１フレーム周期当たりのカラーセグメント数で１フレーム周期を割った時間に等しい。この例では、各カラーセグメントの時間ｔsはｔs＝１０／３ｍｓに等しい。観察者１はスクリーンから距離ｄ＝３ｍだけ離れたところにいると仮定する。上記のテスト設定は図４に示されている。
【０００８】
図５は、色分離の効果を理想的な再現と比較して示したものである。テストイメージはスクリーンの中心に配置された垂直の白色バーＷである。理想的には、テストイメージは図の左側に示されているように再現される。図の右側に示されているイメージは、観察者が順次再現される３つの色をどのように知覚するかを図式的に示したものである。図はカラーホイールが半回転した後に知覚されるイメージを示している。カラーホイールの１回転後には、図示されている分離されたパターンが２回現れる。
【０００９】
以下の計算例では、スクリーン上の各原色の間の１０ｃｍの色分離ｘ１に対する目の動きの角速度Ａが計算される。第１の原色と最後の原色の間の全色分離は２・ｘ１となる。
【００１０】
【数１】
2008506976.tif 000003
ここで、ｖscreenはスクリーン上の平面内での目の焦点の速度であり、ｔsは次のセグメントが照明されてイメージに寄与するようなるまでに１つの色セグメントがイメージング装置を通過するための時間である。ｖscreenを得るために式を変形してもよい。
【００１１】
【数２】
2008506976.tif 000004
次に、スクリーン平面内での速度ｖscreenを目の動きの角速度Ａに変換しなければならない。
【００１２】
【数３】
2008506976.tif 000005
ここで、Ａは度／秒単位での角速度であり、ｄは観察者からスクリーンまでのメートル単位での距離である。したがって、式（２）および（３）は等置することができる。
【００１３】
【数４】
2008506976.tif 000006
したがって、次のように変形される：
【数５】
2008506976.tif 000007
今の例では：
【数６】
2008506976.tif 000008
上の例で仮定されている値は現実的なものではない、つまり、理解を助けるためだけのものである。カラーホイールの回転速度はより高くてもよく、色セグメントは必ずしも等しいサイズでなくてよい。しかし、この説明は実際の表示装置にも当てはまる。
【００１４】
色分離の問題が存在することを勘案すると、レインボー効果またはカラーブレイクアップを低減または防止する色順次表示システムと、相応する駆動スキームとを提供することが望ましい。さらに、従来技術によるカラーホイールを使用するディスプレイにおける色分離を低減する駆動スキームを提供することも望ましい。
【００１５】
本発明は、原色フィルタと２次色フィルタを備えた色フィルタ装置を適応的な符号化または駆動方法と組み合わせて使用することにより色分離を低減する。本発明の他の実施形態では、符号化スキームの変更により、公知の色フィルタ装置を使用する表示装置における色分離を低減することが可能である。以下では、カラーホイールという用語は本発明による色フィルタ装置の同義語として使用される。
【００１６】
本発明のカラーホイールによれば、従来技術から公知の３つの光パルスの代わりに、各々カラーホイールの１つのセグメントを通過する２つの光パルスのみを使用して色を構成することが可能である。本発明のカラーホイールは少なくとも４つの色フィルタセグメントを有しており、そのうち３つは原色フィルタセグメントであり、少なくとも１つが２次色フィルタセグメントである。１つの実施形態では、３原色すべてと２次色のそれぞれに対してフィルタが存在し、結果として６セグメントカラーホイールが形成される。有利な実施形態では、少なくとも１つの原色フィルタがカラーホイール上で隣りに配置された補色の２次色フィルタを有している。
【００１７】
本発明のパルス符号化または駆動スキームによれば、ＬＳＢ、つまり、最下位ビット、言い換えれば、最小の長さの光パルスは、原色フィルタと対応する補色の２次色フィルタとの共通のセグメント境界にできるだけ近く配置される。一般に、選択された２つの隣接する色フィルタの光パルスは、一方の色フィルタセグメントから他方の色フィルタセグメントへの移行部にできるだけ近く配置される。これにより、所望のフルカラー画像の表示に必要なすべての色を表示するのに必要とされる総所要時間が短縮される。
【００１８】
本発明の有利な実施形態においては、カラーホイールは赤、緑、青の原色のセグメントとシアン、マゼンタ、黄色の２次色のセグメントの６つのフィルタセグメント（ＲＧＢＣＭＹ）に分割される。以下では、本発明のカラーホイールをＲＧＢＣＭＹカラーホイールと呼び、従来技術のカラーホイールをＲＧＢカラーホイールと呼ぶ。
【００１９】
本明細書の全体を通して、カラーホイールという用語は、マルチスペクトル光源とイメージング装置との間の光路に複数の色フィルタを順次挿入するすべての装置に対して使用される。したがって、本発明は、樽形の色フィルタ、多角形の断面を有するフィルタ装置、ベルトタイプのフィルタ装置等のような他のフィルタ装置も包摂する。本発明はどのようなタイプの色フィルタにも、すなわち、透過性または反射性の色フィルタにも適している。
【００２０】
以下では、図面を参照して本発明を説明する。
図１は、従来技術による６セグメントカラーホイールを示したものであり；
図２は、従来技術によるカラーホイールの白色イメージに関して光パルスの局所的分布を示したものであり；
図３は、図２の光パルスの時間的分布を示したものであり；
図４は、色分離を実証するためのテスト設定を示したものであり；
図５は、テストパターンと従来技術によるディスプレイにおける色分離の簡略化したイメージであり；
図６は、テストパターンと本発明によるディスプレイにおける色分離の低減の簡略化されたイメージであり；
図７は、本発明によるカラーホイールを図式的に示したものであり；
図８は、できるだけ輝度の低い白色イメージ内容を表示する光パルスの局所的分布を示したものであり；
図９は、色フィルタセグメント全体にわたってさまざまな輝度レベルを表す本発明によるパルス長の分布を図式的に示したものであり；
図１０は、図９の光パルスの時間的分布を示しており；
図１１は、種々の輝度レベルの光パルスの理想的な分布を示したものであり；
図１２は、種々の輝度レベルの光パルスの理想的な分布を示したものであり；
図１３は、本発明の駆動スキームにしたがって従来技術によるＲＧＢカラーホイールにおける最小の長さの光パルスの局所的分布を図式的に示したものであり；
図１４は、図１３の光パルスの時間的分布を図式的に示したものであり；
図１５は、従来技術によるＲＧＢカラーホイールのスポーク分布を示したものであり；
図１６は、本発明のＲＧＢＣＭＹカラーホイールのスポーク分布を示したものであり；
図１７は、従来技術によるＲＧＢカラーホイールと本発明によるＲＧＢＣＭＹカラーホイールの色空間を示したものであり；
図１８は、４つの色フィルタセグメントを備えた本発明によるカラーホイールの第１の図式的な実施形態を示したものであり；
図１９は、図１８のカラーホイールに対する本発明による駆動スキームの光パルスの時間的分布を示したものであり；
図２０は、４つの色フィルタセグメントを備えた本発明によるカラーホイールの第２の図式的な実施形態を示したものであり；
図２１は、本発明によるカラーホイールを駆動する回路の第１の実施形態を示したものであり；
図２２は、本発明によるカラーホイールを駆動する回路の第２の実施形態を示したものである。
図中、同じまたは類似の要素には同じ参照記号が付されている。
【００２１】
図１〜５については既に上で論じたので、再度詳しく参照されることはない。
【００２２】
本発明のより良い理解のために、以下の仮定を設ける：
−  ２次色フィルタセグメントの色座標と密度は相応する原色フィルタセグメントの加算と同じである。例えば、マゼンタ色フィルタセグメントの座標と密度は、青色フィルタセグメントと赤色フィルタセグメントの加算の結果に等しい。密度という語はフィルタを通過する光の量を表している。
−  最低輝度の白色光を表示するためには、最小の光パルス長が、すなわち、イメージング装置が作り出すことのできる最も短い光パルス、つまり、１ＬＳＢが使用される：したがって、最低輝度の白色は以下のいずれかを用いて構成してよい：
−  １ＬＳＢの赤および１ＬＳＢの緑および１ＬＳＢの青、または
−  １ＬＳＢのマゼンタおよび１ＬＳＢの緑、または
−  １ＬＳＢのシアンおよび１ＬＳＢの赤、または
−  １ＬＳＢの黄および１ＬＳＢの青
明細書の以下の部分全体を通して、ＬＳＢという語はイメージング装置により再現されうる最小のパルス長を指すものとする。
【００２３】
６つの色フィルタセグメントを備えた本発明によるＲＧＢＣＭＹカラーホイールの色フィルタの実施例は図７に示されている。比較目的で、図２に示されている従来技術から公知の６セグメントＲＧＢカラーホイールにおけるＬＳＢの位置を参照されたい。図８には、所望の最低輝度白色出力を発生させるＬＳＢの適切な対が示されている。ＬＳＢは原色とその補色である２次色の隣接する色フィルタ上で互いに近接した位置にある。次に短い光パルスは、図９に図示されているパルス長の図式的な分布に示されているように、２つのフィルタセグメントの間の移行部の周りに対称的に配置されている。本発明によるＲＧＢカラーホイールにおける色フィルタの配置は所望のイメージを構成する光パルスの間の時間的距離の短縮を可能にする。
【００２４】
本発明による駆動スキームの第１の実施形態は、本発明によるＲＧＢカラーホイールを使用する色表示システムのニーズに適するように設計されている。本発明による駆動スキームの第２の実施形態は、有利には、公知のＲＧＢカラーホイール向けの順次色表示システムにおいて所望の出力を構成するために使用される個々の光パルスの間の時間を短縮する。
【００２５】
本発明による駆動スキームまたはパルス符号化の第１の実施形態は、所望の色をスクリーン上に表示するために照明される２つのセグメントのＬＳＢの間の時間的距離を小さくし、それによりレインボー効果を著しく低減させるように最適化されている。
【００２６】
実際の使用においては、２つのＬＳＢの間の最短時間は「スポーク」のサイズによって決まる。スポークは２つのセグメントの境界に存在するものである。セグメントを照明する光点はある一定の直径を有している。短い時間の間に、光点は両方のセグメントの一部を照明し、おそらくは不所望の色を生じさせる。この短い時間はスポーク時間とも呼ばれる。スポークのサイズは光の伝達に使用されるカラーホイールにおけるアパーチャの物理的サイズである。このアパーチャはできるだけ小さく保たれる。しかし、各スポークにおいてカラーホイールのおよそ１０°をとれば、十分な大きさである。１０°は従来技術に関連して論じた例での０．５ミリ秒に等しい。
【００２７】
要求されたすべてのパルスが照明されるまでに経過する総所要時間は、２つの光パルスのうちの各パルスのパルス持続時間＋スポーク時間であり、実施例では、２つの光パルスは等しい長さを有しているものと仮定されている。
【００２８】
以下では、本発明によるＲＧＢＣＭＹカラーホイールを備えたディスプレイに関して、前に図５を参照して論じた例で使用された図４に示されているテスト設定を用いて、色分離ｘ１を計算する。計算のために、従来技術を検討する際に計算した角速度Ａ＝８４．３°／秒を用いる：前と同じく、イメージング装置の解像度は５ビットであると仮定する、したがって、ＬＳＢは１／２5である。
【００２９】
他の解像度も考えられるということを思い出されたい。スクリーンまでの距離ｄを３ｍとすれば、２つのパルスの照明の間の時間ｔx1は次の通りである：
【数７】
2008506976.tif 000009
前記の例の角速度の値を使用すれば、ｖscreenは次のように計算される：
【数８】
2008506976.tif 000010
よって、ｘ１は次の通りになる：
【数９】
2008506976.tif 000011
ｘ１はほんの２ｃｍであり、従来技術によるディスプレイの２０ｃｍと比べれば、１０倍もの改善である。
【００３０】
図６の右側には、色分離の低減が図式的に示されており、左側には、比較のために理想的なイメージが示されている。混色を示す小さなエリアが白色バーの左側と右側に位置している。
【００３１】
図８には、本発明によるＰＷＭ符号化スキームの一例を使用して白色光を発生させる光パルスの位置が示されている。この図では、白色光を表示するために黄および青のセグメントが照明されるよう、符号化スキームが設計されている。表示すべき色がやや青みがかっている場合には、青セグメントをより長く照明してよい。択一的に、マゼンタと緑のセグメントを、またはシアンと赤のセグメントを照明することにより白色光を作り出すこともできる。この図では、これらのセグメントは各セグメントのＬＳＢを囲む円と"ｍｉｎ．ｗｈｉｔｅ"というラベルとによってマークされている。
【００３２】
図１０は図８によるパルスの時間的分布を示している。
【００３３】
イメージング装置のさまざまなビットの、すなわち、光パルスの長さの、色フィルタセクション全体にわたる分布が図９に図式的に示されている。
【００３４】
本発明によれば、有利には、ある色相をもった白色光の生成が可能である。というのも、どのような色相の白にも２パルスの組合せが存在するからである。緑がかった白を発生させるには、マゼンタと緑を使用することができる。赤味がかった白を発生させるには、シアンと赤を使用することができる。
【００３５】
本発明によるカラーホイールと駆動スキームによれば、どのような種類の色相についても可能な限り近い所望の出力を発生させるために必要な２つのパルスを得ることが可能である。
【００３６】
ビデオレベルが上がる、すなわち、表示されるイメージの輝度が上がれば、違う長さのパルスが使用されなければならない。ＬＳＢと後続のビットの理想的な分布は図１１に示されている。図１１ａ）では、第１の持続時間の２つのパルスが、２次色フィルタから隣接する原色フィルタへの移行部の周りに対称的に配置されている。図では、この移行部はマゼンタ色フィルタから緑色フィルタへの移行部であり、表示すべき第１の輝度レベルの白色イメージが得られる。図１１ｂ）では、パルスの持続時間が増大しており、より高い輝度が得られる。図１１ｃ）では、持続時間がさらに増大しており、さらに高い輝度が得られる。しかし、図９に示されている色フィルタセグメント全体にわたるパルス分布の例を参照すると、色分離を防ぐには、個々の光パルスを互いから、また２次色と原色の移行部からあまりに離れて分布させること、あるいはさらに悪いことに、例えば「ビット４」だけを照明することは避けなければならない。図９では、「ビット４」は原色フィルタと対応する２次色フィルタとの間の移行部からやや離れた位置にある。この状況は図１２に示されている。図１２ａ）および１２ｂ）は図１１に見られる理想的な状態を示している。
【００３７】
しかし、図１２ｃ）は、上で触れたように、移行部からやや離れたビットに対応する光パルスの時間的位置を示している。点弧すべき２つの色のパルスの間に大きな時間的ギャップが生じるのを防ぐためには、所定の輝度レベルに必要なパルスの全長を、適切な原色フィルタセグメントと２次色フィルタセグメントの間の別の移行部の周りに位置するより短いそれぞれのパルスに分割することがかえって有効である。図１２ｄ）および１２ｅ）にその例が示されている。
【００３８】
色分離を防ぐために、本発明による駆動スキームは、図１２に示されているように、クリティカルなビットの重みを分割し、それらをセグメント中に分散させるビデオ処理を含んでいる。フィルタセグメント中に十分に分散させることのできないビデオレベルについては、上記ビデオ処理はこれらのビデオレベルの使用を阻止する。このように欠落したレベルは隣接ビデオレベル間のディザリングにより補償される。
【００３９】
本発明による符号化スキームの１つの実施形態によれば、従来技術から公知のＲＧＢカラーホイールが使用される場合でも色分離の改善が可能である。図１３は、６セグメントＲＧＢカラーホイールについて、その場合のセグメントに沿ったビットの局所的分布を例示したものである。図１４ａ）には、公知の駆動スキームにおける光パルスの時間的分布が、図１４ｂ）には、本発明による駆動スキームが、互いに上下に示されている。
本発明による符号化スキームでは、１つの原色の符号化順序が残りの原色とは逆になっている。図１３から分かるように、新たな符号化順序では、３つのＬＳＢすべての間の距離は１セグメント＋１ＬＳＢである。
【００４０】
さまざまな長さの光パルスの分布が破線で表されている。図５の例の場合と同じ計算をすることにより、色分離は従来技術に比べてほぼ半分となる。
【００４１】
以下では、公知のＲＧＢカラーホイールにおけるスポークのタイプと本発明によるＲＧＢＣＭＹカラーホイールにおけるスポークのタイプの違いを説明する。これは「スポーク光回復」駆動スキームを使用する場合には重要である。何もしなければ光はスポーク時間中に失われてしまうが、「スポーク光回復」駆動スキームはこの光をリサイクルするように設計されている。主な違いは、ＲＧＢカラーホイールは２つの相似したスポークセットを有しているのに対して、本発明によるＲＧＢＣＭＹカラーホイールは２つの異なるスポークセットを有していることである。
【００４２】
図１６に示されている本発明によるＲＧＢＣＭＹカラーホイールでは、１回転の間に、ＳＷ１からＳＷ３までの３つの「白色スポーク」から成る第１のスポークセットと第２のスポークセットがイメージング装置を通過する。第２のスポークセットは、１つの「脱飽和した赤色スポーク」ＳＤＲと１つの「脱飽和した青色スポーク」ＳＤＢと１つの「脱飽和した緑色スポーク」ＳＤＲとから成っている。このように、このスポークセット構成は既定のものであるが、ＲＧＢカラーホイールの場合には、スポークセットの構成により大きな自由度がある。公知のＲＧＢカラーホイールにおいては、図１５に示されているように、スポークセット１が、例えば、１つの「マゼンタスポーク」ＳＭ１と１つの「シアンスポーク」ＳＣ１と１つの「黄色スポーク」ＳＹ１とから構成されることがありうる。
本発明によるカラーホイールは「白色スポーク」を有しているため、白色光の増強に単一の白色スポークを使用することができる。しかし、スポークは実際には２次色から原色へまたは原色から２次色への移行部から成るものなので、気をつけなければならない。それにもかかわらず、「白色スポーク」はこのタイプのカラーホイールとしては可能な限りで最も光透過率の高いスポークである。
【００４３】
本発明によるＲＧＢＣＭＹカラーホイールの挙動をより理解し易くするために、いくつかの仮定を設ける。これらの仮定はより理解し易くするためにのみ為されるものであることに注意しなければならない。他の構成も可能であり、かつ本発明の範囲内にある。
１．マゼンタセグメントは、ＤＭＤに当たる光であって、かつ同じカラーホイールの赤色セグメントと青色セグメントから同時に光が入射する仮定的な場合と色座標および輝度の点で同じ性質をもつ光を生成する。黄色スポークと赤および緑の原色についても、シアン、青、および緑のそれぞれについても同じことが成り立つ。
２．「白色光」はカラーホイールが３６０°回転する間に光のスペクトル部分を積分することにより得られる。「自然」白色光、言い換えれば、所定の色温度を有する「白色点」は所望の白色点に等しいと仮定する。白色光を実現するために個々の色が減衰されることはない。したがって、白は赤、青、緑、マゼンタ、シアン、および黄の等量の光を加算することにより実現される。
３．比較のために、ＲＧＢカラーホイールは、本発明によるＲＧＢＣＭＹカラーホイールの赤、緑、青の色セグメントと同じ内訳の赤、緑、および青の色セグメントを有するものとする。ＲＧＢカラーホイールは２つの赤色セグメントと２つの青色セグメントと２つの緑色セグメントを有する。したがって、白は２つの赤色セグメントと２つの緑色セグメントと２つの青色セグメントを通過する光を加算することにより実現される。
【００４４】
図１６に示されているＲＧＢＣＭＹカラーホイールは、１つの赤色セグメントＲ、１つの青色セグメントＢ、１つの緑色セグメントＧ、１つのマゼンタ色セグメントＭ、１つのシアン色セグメントＣ、および１つの黄色セグメントＹを有している。
【００４５】
一般に、マゼンタは青と赤を１：１の割合で加算することにより得られ、黄は緑と赤を１：１の割合で加算することにより得られ、シアンは緑と青を１：１の割合で加算することにより得られる。上で設けた仮定に関して言えば、白は赤、緑、青、マゼンタ、シアン、および黄をそれぞれ同じ割合で加算することにより得られる。本発明によるＲＧＢＣＭＹカラーホイールにとって、このことは赤、緑、青、青＆赤（＝マゼンタ）、青＆緑（＝シアン）、および赤＆緑（＝黄）を加算することに等しい。上では、２次色をそれぞれの原色の合成としてリストアップした。原色で分類するならば、白は赤、緑、および青をそれぞれ１／３の割合で加算することにより得られる。ＲＧＢＣＭＹカラーホイールの白の輝度は従来技術のＲＧＢカラーホイールに比べて１．５倍に増えており、これは５０％の増加である。最大輝度の増大は有利には表示システムのダイナミックレンジを増大させる。
【００４６】
従来技術のＲＧＢカラーホイールは純粋な赤色を作り出すために２つの赤色セグメントを使用する。ＲＧＢＣＭＹカラーホイールは純粋な赤色を作り出すのに１つの赤色セグメントしか使用しない。白出力に貢献する赤色の割合の１／３は赤色セグメントからのものである。その他の割合はマゼンタ色セグメントと黄色セグメントからのものである。白出力に対する純粋色の相対輝度は低くなる。上の例では、ＲＧＢＣＭＹカラーホイールの赤色光出力は従来技術によるＲＧＢカラーホイールに比べて１／３である。
【００４７】
図１７は、ＲＧＢカラーホイールとＲＧＢＣＭＹカラーホイールにより再現されうる色を示している。色空間は「テントポール」を備えた「テント」として示されている。ＲＧＢＣＭＹカラーホイールの色空間を表す黒テントと、ＲＧＢカラーホイールの色空間を表す白テントの２つのテントが存在している。テントの外側テントポールは赤、緑、および青の原色を表している。２つの原色の間のテント外縁に位置するテントポールは混色、すなわち、２次色である。２次色は３つの原色のうちの２つが同時に照明されたときに現れる。ＲＧＢＣＭＹカラーホイールの場合、２次色は、３つの原色のうちの２つが同時に照明され、かつ対応する２次色セグメントが照明された場合に現れる。中央のテントポールは、すべての色セグメントからの光の和を表す白色テントポールである。
【００４８】
図は、ＲＧＢカラーホイールの場合でもＲＧＢＣＭＹカラーホイールの場合でも、テントポールがｘ座標およびｙ座標の観点で同じ点に位置していることをはっきりと示している。しかしながら、これらのテントポールは異なる高さを有している。これは上で設けた仮定に起因するものである。黒テントは中央が著しく高く、一方で白テントの原色の縁部に位置するテントポールは黒色テントポールよりも高い。したがって、黒テントのダイナミックレンジは混色が位置している色空間中央では比較的高く、その一方で、純粋色が位置している色空間縁部では比較的低い。
【００４９】
提案された本発明によるＲＧＢＣＭＹカラーホイールは上で説明したように「レインボー効果」の低減をもたらす。さらに、本発明によるＲＧＢＣＭＹカラーホイールは光出力の著しい増大ももたらす。しかし、上で論じたように、純粋色に関する飽和度の低下に注意しなければならない。図１７から分かるように、ＲＧＢカラーホイールの色範囲はＲＧＢＣＭＹカラーホイールの色範囲と両立しない。一方の色範囲を他方の色範囲に変換するために、制御回路が設けられている。この変換は、原則的に、上記の効果を被る特定のピクセルの色相を変える、飽和度を変える、または輝度を変えるという３つの方法により独立に、または３つの方法の組合せにより行われる。相応する制御回路を駆動ロジックまたは制御段に設けてもよい。これら３つの可能性のうち、色相を変えることはあまり望ましくなく、避けるべきであることに注意されたい。飽和度を変えることはおそらく受け入れられるが、特にスキントーンに不所望の効果を生じさせるかもしれない。
【００５０】
純粋色の飽和度の低下を補償するためには、飽和度と輝度とに対する設定に重み付けしなければならない。
【００５１】
純粋色の飽和度の低下を補償する別の方法は、個々の色に対してサイズの異なる色セグメントを使用する、すなわち、色セグメントに重み付けすることである。
【００５２】
色の表示を改善するために上記措置のうちのいくつかを組み合わせることも考えられる。
【００５３】
本発明の１つの実施形態では、特に輝度レベルが比較的低い場合の色分離効果を改善するために2次色が使用される。この実施形態では、２次色セグメントのサイズは原色セグメントのサイズに比べて小さい。
【００５４】
１つの有利な実施形態では、２次色セグメントのサイズは原色セグメントのサイズのほぼ半分である。ＲＧＢＣＭＹカラーホイールのこの実施形態に関して、飽和度ｖｓ輝度計算を以下に示す。インデックス"ｍ"、"ｏ"はそれぞれ変更されたＲＧＢＣＭＹカラーホイール、元のＲＧＢＣＭＹカラーホイールを表す。赤（ｍ）の総輝度は変更されていないＲＧＢＣＭＹカラーホイールの赤（ｏ）の輝度の３／２になる。同様に、青（ｍ）の総輝度は青（ｏ）の３／２、緑（ｍ）の総輝度は緑（ｏ）の３／２になる。マゼンタ（ｍ）の輝度はマゼンタ（ｏ）の３／４であり、黄（ｍ）の輝度は黄（ｏ）の３／４であり、シアン（ｍ）の輝度はシアン（ｏ）である。
【００５５】
白出力は、３／２赤＋３／２青＋３／２緑＋３／４赤＆青（＝マゼンタ）＋３／４赤＆緑（＝黄）＋３／４青＆緑（＝シアン）の和として計算される。この和は９／４赤＋９／４青＋９／４緑と書くこともできる。この実施形態では、従来技術によるＲＧＢカラーホイールに比べて輝度ゲインは１／４、すなわち、２５％である。純粋色の輝度は従来技術によるＲＧＢカラーホイールの値の２／３、すなわち、６７％である。しかし、従来技術に比べて、色分離は大幅に低減され、最大白色出力レベルは上昇する。
【００５６】
本発明の別の実施形態では、カラーホイールは３つの原色セグメントと少なくとも１つの２次色セグメントから構成される。この実施形態によるからホイールの第１の例が図１８に示されている。この実施形態は飽和純粋色の色範囲を改善する。２次色セグメントとその補色の原色セグメントとを使用することにより、輝度レベルの低い白色光またはグレイに対する色分離効果が従来技術に比べてさらに低減される。
【００５７】
１つの実施形態では、完全な白、つまり、１００％の白を得るために全セグメント時間にわたってすべての色セグメントが照明されるように、色セグメントのサイズが選択される。２次色セグメントによって補完されていない原色セグメントは、補色の色フィルタセグメントを有する色セグメントに比べて小さなサイズを有する。
【００５８】
本発明の別の実施形態では、完全な白を得るためにセグメント時間の１００％にわたって原色セグメントだけが照明されるように、原色セグメントのサイズが選ばれる。上記少なくとも１つの２次色は最大輝度の白を達成するために使用されない。
【００５９】
図１８に示されている例では、黄色の２次色セグメントが補助フィルタセグメントとして使用されている。この例では、完全な白の出力はつねにカラーホイールのすべてのセグメントを使用することにより得られる。したがって、赤および緑のセグメントのサイズは青色セグメントに比べて小さい。これにより、黄色セグメントからの赤および緑の寄与が補償される。図１８に示されている実施例では、色範囲を増大させるために２次色セグメントのサイズはより小さくなっている。しかし、他のフィルタセグメントサイズも考えられる。
【００６０】
また、図２０に例として示されているように、本発明による補助的な色フィルタとしてシアンまたはマゼンタのフィルタセグメントを使用してもよいことにも注意されたい。黄色セグメントを使用するカラーホイールと比べると、この図に示されているカラーホイールは青の再現を犠牲にして赤の再現を改善する。
【００６１】
さらに、ホイールの回転速度またはスピン係数を低下させるために、カラーホイールのセグメント数を２倍または３倍にすることも考えられる。このようなカラーホイールは、例えば、各原色と各２次色の２つのセグメントから構成されているものであってよい。
また、原色の３つのセグメントに加えて２次色用の２つのセグメントを有するカラーホイールを使用することも考えられる。
【００６２】
図１９は、図１８の本発明によるカラーホイールのための本発明によるＰＷＭ符号化スキームを示している。所望の色がやや青みがかっている場合には、例えばイメージング装置を相応して制御することにより、パルスの重みを青色セグメントの方へシフトさせてよい。所望の色がやや緑がかっている場合には、黄色の割合が減らされ、代わりに緑の割合が増やされる。総輝度を同じにするために、光パルスの持続時間は関連するセグメント間でしかるべく均衡させられる。もっと前の実施形態に関しては、符号化はＬＳＢの間の時間的距離ができるだけ小さく保たれるように設計されている。
【００６３】
所望の色がやや赤みがかった白ならば、黄色の寄与は減らされ、赤が増やされる。図では、ＬＳＢの間の時間的距離はほぼカラーホイールの１回転に要する時間の１／２である。
【００６４】
１つの実施形態では、緑の再現を犠牲にして赤の再現を最適化するため、赤と緑のセグメントが交換される。しかしながら、緑色セグメントは有利には赤色セグメントよりも小さい。２次色セグメントとして黄色セグメントを１つだけ使用する場合、ＬＳＢの間の距離を最小にするためには、これがカラーホイールの最適のレイアウトである。
【００６５】
しかし、白の輝度レベルが比較的高い場合には、２次色フィルタセグメントＹが完全に使用され、かつ補色の原色フィルタセグメントＢが同じ持続時間にわたって使用された後に、原色セグメントが付加的に照明される。付加的な照明期間、例では緑Ｇは、図１９ｃ）に示されているように、２次色セグメントの境界において始まり、赤Ｒがそれに続く。このことが所望の色から成る光パルス間の時間的距離を最小に保ち、それゆえ色分離効果がさらに低減される。
【００６６】
図２１は、本発明によるＲＧＢＣＭＹカラーホイールを備えたイメージング装置を制御する本発明による駆動回路を示している。図では、入力信号ＩＮ＿ＰＲＩ１〜ＩＮ＿ＰＲＩ３がそれぞれの入力側を介して回路に供給されている。これらの信号は通常、従来技術によるカラーホイールの原色セグメントにアドレスするために使用される。しかし、本発明によるＲＧＢＣＭＹカラーホイールの駆動回路においては、これらの信号はさらなる信号処理を受ける。駆動回路は２次色を抽出するための手段ＳＣＥ１〜ＳＣＥ３を含んでいる。これらの手段は、例えば、ルックアップテーブルおよび／または加算もしくは減算手段を含んでいてよい。駆動回路はさらにクリッピングを防止する手段を有している。このことは次のように説明される：原色の値は抽出された２次色により低減される。さらに、残りの原色成分ＲＥＳ＿ＰＲＩ１〜ＲＥＳ＿ＰＲＩ３は、原色限界検出ブロックＰＬＤにおいて、所定の限界値ＭＡＸ＿ＰＲＩ１〜ＭＡＸ＿ＰＲＩ３と比較される。出力信号ＯＵＴ＿ＰＲＩ１〜ＯＵＴ＿ＰＲＩ３およびＯＵＴ＿ＳＥＣ１〜ＯＵＴ＿ＳＥＣ３は、ＲＧＢＣＭＹカラーホイールの色フィルタセグメントの照明の制御に使用される。それぞれの限界値ＭＡＸ＿ＳＥＣ１〜ＭＡＸ＿ＳＥＣ３まで各２次色の成分ＳＥＣ１〜ＳＥＣ３を抽出するために、２つの入力原色のそれぞれの最小値が求められる。ＭＡＸ＿ＳＥＣ１〜ＭＡＸ＿ＳＥＣ３は、各色フィルタセグメントＳＥＣ１〜ＳＥＣ３のＬＳＢの観点から見た容量によって決まる定数値である。残りの成分は原色フィルタセグメントを用いて表示される。複数の２次色フィルタセグメントが設けられている場合には、前記手段は２次色の各々に対して設けられており、手続きは相応して繰り返される。値のうちで、ＲＥＳ＿ＰＲＩ１〜ＲＥＳ＿ＰＲＩ３はすべての２次色を引いた後にも残る。
【００６７】
上で説明したように、２次色セグメントは原色セグメントを犠牲にして導入された。それゆえ、信号ＯＵＴ＿ＰＲＩ１〜ＯＵＴ＿ＰＲＩ３の大きさの幅はＩＮ＿ＰＲＩ１〜ＩＮ＿ＰＲＩ３よりも小さい。出力信号ＯＵＴ＿ＰＲＩ１〜ＯＵＴ＿ＰＲＩ３の最大信号値はそれぞれ定数値ＭＡＸ＿ＰＲＩ１〜ＭＡＸ＿ＰＲＩ３により限界付けられている。これらの値のうちの１つを超えると、クリッピングが生じる。値ＭＡＸ＿ＰＲＩ１〜ＭＡＸ＿ＰＲＩ３のうちの１つまたは複数が超過されると、原色限界検出ブロックＰＬＤにおいてその超過が検出される。信号ＣＯＮＴＲＯＬは、各原色について閾値が超過されているか、ならびにどの程度超過されているかを表す。飽和度低減および／または輝度低減のための機能ブロックＳＲ／ＢＲは各出力信号の出力側に接続されている。機能ブロックＳＲ／ＢＲはＣＯＮＴＲＯＬ信号への応答におけるクリッピングを防ぐために補正動作を行う。補正動作の１つの例は単純な飽和度低減であり、もう１つの動作は単純な輝度低減である。より複雑な変換プロセスも考えられる。他の多くの適切な補正動作が従来技術から公知であり、ここではさらに説明しない。
【００６８】
もっと上で、２次色フィルタセグメントからそれぞれの補色である原色フィルタセグメントへの移行部に白色成分を均一に分布させることによりレインボー効果を改善する手続きが示されている。この改善を達成するための本発明による駆動回路の例が図２２に示されている。図２２に示されている回路は１つより多くの２次色セグメントを備えたカラーホイール向けである。図２２の回路は図２１の回路と大体において同じである。入力信号ＩＮ＿ＰＲＩ１〜ＩＮ＿ＰＲＩ３を分析するために機能ブロック"ＬＩＭ＿ＳＥＣ  ｃａｌｃ"が付加されている。付加された機能ブロックは２次色成分の存在を検出する。３つの２次色セグメントが存在している場合、付加された機能ブロックはさらに３つの入力信号の最小値に等しい入力信号から最小白色成分を求める。最小白色成分は２次色セグメントの個数で、この例では３で、除算される。除算の結果は２次色に対するそれぞれの限界値ＬＩＭ＿ＳＥＣ１〜ＬＩＭ＿ＳＥＣ３である。白色レベルの最上位に２次色成分が存在している場合には、この成分の値がそれぞれ対応する信号ＬＩＭ＿ＳＥＣ１〜ＬＩＭ＿ＳＥＣ３に付加される。しかしながら、ＬＩＭ＿ＳＥＣ１〜ＬＩＭ＿ＳＥＣ３の値は対応するＭＡＸ＿ＳＥＣ１〜ＭＡＸ＿ＳＥＣ３の値を超えてはならない。
【００６９】
２つの２次色セグメントしか存在していない場合には、付加された機能ブロックはそれぞれの色の含量を求める。付加的な色フィルタセグメントが黄とマゼンタである場合には、薄赤光の内容が求められ、付加的な色フィルタセグメントが黄とシアンである場合には、薄緑光の内容が求められ、付加的な色フィルタセグメントがマゼンタとシアンである場合には、薄青光の内容が求められる。結果は２つの２次色のそれぞれの限界値ＬＩＭ＿ＳＥＣ１とＬＩＭ＿ＳＥＣ２に分けられる。求められた薄青光、薄緑光、または薄赤光の最上位に２次色成分が存在している場合には、この特定の成分の値が対応する信号ＬＩＭ＿ＳＥＣ１とＬＩＭ＿ＳＥＣ２にそれぞれ付加される。上で述べたように、ＬＩＭ＿ＳＥＣ１とＬＩＭ＿ＳＥＣ２の値は対応するＭＡＸ＿ＳＥＣ１とＭＡＸ＿ＳＥＣ２の値を超えてはならない。
【図面の簡単な説明】
【００７０】
【図１】従来技術による６セグメントカラーホイールを示す。
【図２】従来技術によるカラーホイールの白色イメージに関して光パルスの局所的分布を示す。
【図３】図２の光パルスの時間的分布を示す。
【図４】色分離を実証するためのテスト設定を示す。
【図５】テストパターンと従来技術によるディスプレイにおける色分離の簡略化したイメージである。
【図６】テストパターンと本発明によるディスプレイにおける色分離の低減の簡略化されたイメージである。
【図７】本発明によるカラーホイールを図式的に示す。
【図８】図８は、できるだけ輝度の低い白色イメージ内容を表示する光パルスの局所的分布を示す。
【図９】色フィルタセグメント全体にわたってさまざまな輝度レベルを表す本発明によるパルス長の分布を図式的に示す。
【図１０】図９の光パルスの時間的分布を示す。
【図１１】種々の輝度レベルの光パルスの理想的な分布を示す。
【図１２】種々の輝度レベルの光パルスの理想的な分布を示す。
【図１３】本発明の駆動スキームにしたがって従来技術によるＲＧＢカラーホイールにおける最小の長さの光パルスの局所的分布を図式的に示す。
【図１４】図１３の光パルスの時間的分布を図式的に示す。
【図１５】従来技術によるＲＧＢカラーホイールのスポーク分布を示す。
【図１６】本発明のＲＧＢＣＭＹカラーホイールのスポーク分布を示す。
【図１７】従来技術によるＲＧＢカラーホイールと本発明によるＲＧＢＣＭＹカラーホイールの色空間を示す。
【図１８】４つの色フィルタセグメントを備えた本発明によるカラーホイールの第１の図式的な実施形態を示す。
【図１９】図１８のカラーホイールに対する本発明による駆動スキームの光パルスの時間的分布を示す。
【図２０】４つの色フィルタセグメントを備えた本発明によるカラーホイールの第２の図式的な実施形態を示す。
【図２１】本発明によるカラーホイールを駆動する回路の第１の実施形態を示す。
【図２２】本発明によるカラーホイールを駆動する回路の第２の実施形態を示す。
【図１】
2008506976.tif 000012
【図２】
2008506976.tif 000013
【図３】
2008506976.tif 000014
【図４】
2008506976.tif 000015
【図５】
2008506976.tif 000016
【図６】
2008506976.tif 000017
【図７】
2008506976.tif 000018
【図８】
2008506976.tif 000019
【図９】
2008506976.tif 000020
【図１０】
2008506976.tif 000021
【図１１】
2008506976.tif 000022
【図１２】
2008506976.tif 000023
【図１３】
2008506976.tif 000024
【図１４】
2008506976.tif 000025
【図１５】
2008506976.tif 000026
【図１６】
2008506976.tif 000027
【図１７】
2008506976.tif 000028
【図１８】
2008506976.tif 000029
【図１９】
2008506976.tif 000030
【図２０】
2008506976.tif 000031
【図２１】
2008506976.tif 000032
【図２２】
2008506976.tif 000033
【手続補正書】
【提出日】平成19年3月6日(2007.3.6)
【手続補正１】
【補正対象書類名】特許請求の範囲
【補正対象項目名】全文
【補正方法】変更
【補正の内容】
【特許請求の範囲】
【請求項１】
単色イメージを順次連続して再現することによりカラーイメージを再現する方法であって、フィルタリングされたマルチスペクトル光をイメージング装置上にそれぞれ投影することにより単色イメージを再現し、変更可能なフィルタのシーケンスにおいて、原色フィルタがそれぞれ補色の２次色フィルタに隣接して配置されるように、３つの異なる原色フィルタ（Ｒ，Ｇ，Ｂ）と３つの対応する２次色フィルタ（Ｃ，Ｍ，Ｙ）とを配置し、イメージング装置がそれぞれ異なる持続時間を有する光パルスとして光をスクリーンに伝えるようにすることにより異なる輝度値を達成するようにした方法において、相応の持続時間のあいだ、２次色セグメントと対応する補色の原色セグメントとを順次連続して照明することにより白色光を生成することを特徴とする、単色イメージを順次連続して再現することによりカラー画像を再現する方法。
【請求項２】
補色関係にある隣接する原色セグメントと２次色セグメントとにおける最短光パルス（ビット０）がセグメント境界の両側に配置されるようにイメージング装置を制御する、請求項１記載の方法。
【請求項３】
２つの隣接する色フィルタのそれぞれの輝度値に対応する光パルスの長さを補色関係にある原色フィルタと２次色フィルタとの間の境界に関して対称的に増大させるようにイメージング装置を制御する、請求項２項記載の方法。
【請求項４】
原色と２次色とから所望のレベルの白色光を発生させるための照明持続時間を原色と２次色の全３対の補色ペアの間で等分する、請求項１から３のいずれか１項記載の方法。
【請求項５】
原色フィルタが補色の２次色フィルタと境界を共有するように配置されていることを特徴とする、原色フィルタと２次色フィルタとを有する回転可能な色フィルタ装置。
【請求項６】
請求項５記載の色フィルタ装置を有するビデオプロジェクタ。
【請求項７】
請求項１から４のいずれか１項記載の方法を実行するように適合されたビデオプロジェクタ。
【手続補正書】
【提出日】平成19年6月5日(2007.6.5)
【手続補正１】
【補正対象書類名】手続補正書
【補正対象項目名】手続補正２
【補正方法】削除
【補正の内容】
【国際調査報告】
2008506976.tif 000034
2008506976.tif 000035
2008506976.tif 000036